(57)【要約】【課題】多様なプロトコルやベンダ機器により構成され、また、構成が随時変更されるネットワーク環境において、利用者がＮＷリソース情報の取得やリソースの獲得を、ネットワーク方式や構成を意識せずに行うことを可能にする。【解決手段】ドメイン内のネットワーク（ＮＷ）上の機器の接続を検知し、その種別を判別する手段、ドメイン内のＮＷの各機器（ＮＥ）の独自属性を管理する手段、各ＮＥの独自属性をその方式や種別に依らない共通属性に変換して管理する手段、ＮＷのトポロジ情報を共通の形式で管理する手段、各ＮＥの共通属性及びトポロジ情報に基づきＮＷサービス共通属性を導出して管理する段、利用者端末と共通インタフェースを実現する手段、各ＮＥに対し独自インタフェースで制御を実行する手段からなるＤＮＭ２００を設ける。【選択図】図２
2005110056.tif 000002
【特許請求の範囲】
【請求項１】
特定のドメイン内のネットワークを管理するネットワーク管理装置であって、
ドメイン内のネットワーク上の機器の接続を検知し、その種別を判別する接続検知部と、
ドメイン内のネットワークを構成する各ネットワークエレメント（ＮＥ）より提供される、当該ＮＥのネットワーク方式や種別によって異なる形式で記述された属性（独自属性）を管理するＮＥ独自属性管理部と、
各ＮＥの独自属性を、当該ＮＥのネットワーク方式や種別に依らない共通の属性（共通属性）に変換して管理するＮＥ共通属性管理部と、
各ＮＥの独自属性内の他ＮＥとの接続情報に基づき、ドメイン内のネットワーク（ＮＷ）のトポロジ情報を共通の形式で管理するトポロジ情報管理部と、
各ＮＥの共通属性およびＮＷのトポロジ情報に基づき、ドメイン内のネットワークコネクション（ＮＷサービス）の共通属性を導出して、管理するＮＷサービス共通属性管理部と、
ＮＷサービスの検索、共通属性の取得および制御を、ネットワーク方式に依らない共通のインタフェースで実現する共通インタフェース提供部と、
ＮＷサービスに対する共通インタフェースによる制御コマンドを、独自コマンドに変換して、ＮＷサービスを構成する各ＮＥに対し制御を実行するインタフェース変換部と、
から構成され、ドメイン外の広域ネットワークの利用者端末からの、特定ドメイン内のＮＷサービスの検索、共通属性取得、サービスの制御を、共通のインタフェースにより実現可能とすることを特徴とするネットワーク管理装置。
【請求項２】
請求項１記載のネットワーク管理装置において、
ＮＥ共通属性管理部では、ドメイン内の機器（ゲートウェイ機器、ＮＷ機器、端末機器）、機器同士を接続する物理リンク、各物理リンクに含まれる論理リンク、物理リンクの両端を表す端点（物理端点）、論理リンクの両端を表す出力側の端点（出力側論理端点）および入力側の端点（入力側論理端点）をＮＥと定義して、その共通属性を管理し、
ＮＷサービス共通属性管理部では、ドメイン間接続ＮＷ機器と端末機器間、端末機器同士、ドメイン間接続ＮＷ機器同士を接続する論理リンクの集合をＮＷサービスと定義して、その属性を管理する、
ことを特徴とするネットワーク管理装置。
【請求項３】
特定ドメイン内ネットワーク及び該特定ドメイン内ネットワークが接続される広域ネットワークから構成されるネットワークシステムにおいて、
請求項１もしくは２記載のネットワーク管理装置を特定ドメイン内ネットワーク上に設置し、該ネットワーク管理装置により、ネットワーク管理装置と広域ネットワーク間は共通属性と共通インタフェースを使用して管理し、ネットワーク管理装置とドメイン内のネットワークの機器間はそれぞれ独自属性と独自インタフェースを使用して管理することを特徴とするネットワークシステム。
【請求項４】
特定のドメイン内のネットワークを専用の端末機器（ドメインネットワークマネージャ）で管理するネットワーク管理方法であって、
ドメインネットワークマネージャは、
ドメイン内のネットワークを構成するかのネッワークエレメント（ＮＥ）の、当該ＮＥのネットワーク方式や種別によって異なる形式で記述される属性（独自属性）を管理し、
各ＮＥの独自属性を、当該ＮＥのネットワーク方式や種別に依らない共通の属性（共通属性）に変換して管理し、
ドメイン内のネットワーク（ＮＷ）のトポロジ情報を共通の形式で管理し、
各ＮＥの共通属性及びＮＷのトポロジ情報に基づき、ドメイン内のネットワークコネクション（ＮＷサービス）の共通属性を導出して管理し、
ドメイン外の広域のネットワークの利用者端末からの、特定ドメイン内のＮＷサービス検索、ＮＷサービス確保要求を、ネットワーク方式に依らない共通インタフェースで実現し、
ＮＷサービスに対する共通インタフェースによる制御コマンドを独自コマンドに変換し、独自インタフェースにより、ＮＷサービスを構成する各ＮＥに対して制御を実行する、
ことを特徴とするネットワーク管理方法。
【請求項５】
請求項４に記載のネットワーク管理方法において、
ドメインネットワークマネージャは、ドメイン内の機器（ゲートウェイ機器、ＮＷ機器、端末機器）、機器同士を接続する物理リンク、各物理リンクに含まれる論理リンク、物理リンクの両端を表す端点（物理端点）、論理リンクの両端を表す出力側の端点（出力側論理端点）および入力側の端点（入力側論理端点）をＮＥと定義してその共通属性を管理し、また、ドメイン間接続ＮＷ機器と端末機器間、端末機器同士、ドメイン間接続ＮＷ機器同士を接続する論理リンクの集合をＮＷサービスと定義してその属性を管理することを特徴とするネットワーク管理方法。
【請求項６】
請求項４もしくは５記載のネットワーク管理方法において、
ドメインネットワークマネージャは、共通インタフェースにより、利用者端末から、ＮＷサービス属性内の全てまたはその一部の属性値が満たすべき条件を引数として入力し、該条件に該当するＮＷサービス属性の属性値の全てまたはその一部を戻り値として回答することを特徴とするネットワーク管理方法。
【請求項７】
請求項４もしくは５記載のネットワーク管理方法において、
ドメインネットワークマネージャは、共通インタフェースにより、利用者端末から、ＮＷサービス共通属性における、ＮＷサービスＩＤ、対象フロー識別パラメータ属性、付与パラメータ属性、要求帯域値、要求優先度の全てまたはその一部を引数として入力させることで、該対象フローに対して要求された帯域値、優先度にて、該ＮＷサービスの共通属性の値に基づく転送を行うためのＮＷサービス確保を行い、また、ＮＷサービス構成属性に基づき、該ＮＷサービスを構成するＮＥを特定し、サービス確保インタフェースを、それを構成する各ＮＥ独自のインタフェースに変換して、各ＮＥに対し、該対象フローに対して要求された帯域値、優先度、パラメータ付与にて、該ＮＷサービスの共通属性の値に基づく転送を実現するよう要求を行うことを特徴とするネットワーク管理方法。
【請求項８】
請求項７記載のネットワーク管理方法において、
ドメインネットワークマネージャは、サービス確保ＩＦによりＮＷサービスを確保する際に、それに基づき該ＮＷサービスを構成する論理リンクの共通属性値を更新し、さらに、該論理リンクを構成要素に含む他のＮＷサービスの共通属性を更新することを特徴とするネットワーク管理方法。
【請求項９】
請求項４もしくは５記載のネットワーク管理方法において、
ドメインネットワークマネージャは、ネットワーク上に接続されている、もしくは新たに接続された機器を検知してその種別を判別し、その種別の機器に対応する、独自属性管理機能、ＮＥ共通属性管理機能、トポロジ情報管理機能、インタフェース変換機能の全てまたはその一部を利用し、ＮＥ独自属性の収集、ＮＥ共通属性の導出、トポロジ情報の導出、および機器の制御を行うことを特徴とするネットワーク管理方法。
【請求項１０】
請求項４もしくは５記載のネットワーク管理方法において、
ドメインネットワークマネージャは、ネットワーク上に接続されている、もしくは新たに接続された機器を検知してその種別を判別し、その種別の機器に対応する、独自属性管理機能、ＮＥ共通属性管理機能、トポロジ情報管理機能、インタフェース変換機能の全てが該マネージャ上に具備されている場合はそれらを利用し、全てまたはその一部が実装されていない場合は、具備されていない機能を、外部の機能蓄積部より取得し、該マネージャで利用可能とすることを特徴とするネットワーク管理方法。
【発明の詳細な説明】
【技術分野】
【０００１】
本発明は、特定のドメイン内のネットワークを管理する技術に係り、詳しくは、多様なプロトコルやベンダ機器により構成され、また、構成が随時変更されるような特定のドメイン内のネットワーク環境における、ネットワークリソースの検索、リソースの獲得等を容易にするネットワーク管理技術に関する。
【背景技術】
【０００２】
近年、マンション等のエリアを単位としてユーザネットワークの光化が進みつつある。また、情報家電の普及とともに、家庭内のネットワーク化も進むと考えられる。このような特定のドメイン内のネットワーク環境では、エリアの特性やニーズにより、ユーザ毎に多様なプロトコルやベンダ機器が採用されるものと考えられる。こうしたネットワーク環境では、サービスプロバイダやエンドユーザがネットワークのプロトコル等の違いを意識することなく、サービスの提供等をできるようにすることが重要である。
【０００３】
しかしながら、従来は、このように多様なプロトコルやベンダ機器により構成され、また、構成が随時変更されるようなネットワーク環境（ホームやマンション等）においては、利用者（エンドユーザ、サービスプロバイダ等）が、ネットワークリソースの検索、リソース情報の取得、リソース獲得などを、ネットワーク方式や構成等を意識せずに行うことが困難であった。
【０００４】
なお、本発明者らは、エリア内ユーザネットワーク環境において、ネットワークリソース情報の取得、リソース獲得を、ネットワーク方式に依らない共通のインタフェースで実現する一方式を提案したが（非特許文献１）、これは特定のプロトコル、ベンダ機器で構成され、また特定のトポロジを想定したものに過ぎない。
【非特許文献１】西山伸英他、「エリア内ユーザネットワークの運用管理方式についての検討」  Ｂ−１４−９，２００２年電子情報通信学会通信ソサイエティ大会
【発明の開示】
【発明が解決しようとする課題】
【０００５】
本発明は、多様なプロトコルやベンダ機器により構成され、また、構成が随時変更されるような特定のドメイン内のネットワーク環境において、その利用者（エンドユーザ、サービスプロバイダ）が、ネットワークリソースの検索、リソース情報の取得、リソースの獲得等を、ネットワーク方式や構成を意識せずに、共通のインタフェースにて行うことを可能にするネットワーク管理装置、それを利用したネットワークシステム及びネットワーク管理方法を提供することにある。
【課題を解決するための手段】
【０００６】
本発明は、特定のドメイン内のネットワークを管理するネットワーク管理装置であって、
ドメイン内のネットワーク上の機器の接続を検知し、その種別を判別する接続検知部と、
ドメイン内のネットワークを構成する各ネットワークエレメント（ＮＥ）より提供される、当該ＮＥのネットワーク方式や種別によって異なる形式で記述された属性（独自属性）を管理するＮＥ独自属性管理部と、
各ＮＥの独自属性を、当該ＮＥのネットワーク方式や種別に依らない共通の属性（共通属性）に変換して管理するＮＥ共通属性管理部と、
各ＮＥの独自属性内の他ＮＥとの接続情報に基づき、ドメイン内のネットワーク（ＮＷ）のトポロジ情報を共通の形式で管理するトポロジ情報管理部と、
各ＮＥの共通属性およびＮＷのトポロジ情報に基づき、ドメイン内のネットワークコネクション（ＮＷサービス）の共通属性を導出して、管理するＮＷサービス共通属性管理部と、
ＮＷサービスの検索、共通属性の取得および制御を、ネットワーク方式に依らない共通のインタフェースで実現する共通インタフェース提供部と、
ＮＷサービスに対する共通インタフェースによる制御コマンドを、独自コマンドに変換して、ＮＷサービスを構成する各ＮＥに対し制御を実行するインタフェース変換部と、
から構成され、ドメイン外の広域ネットワークの利用者端末からの、特定ドメイン内のＮＷサービスの検索、共通属性取得、サービスの制御を、共通のインタフェースにより実現可能とすることを特徴とする。
【０００７】
また、本発明は、上記ネットワーク管理装置において、
ＮＥ共通属性管理部では、ドメイン内の機器（ゲートウェイ機器、ＮＷ機器、端末機器）、機器同士を接続する物理リンク、各物理リンクに含まれる論理リンク、物理リンクの両端を表す端点（物理端点）、論理リンクの両端を表す出力側の端点（出力側論理端点）および入力側の端点（入力側論理端点）をＮＥと定義して、その共通属性を管理し、
ＮＷサービス共通属性管理部では、ドメイン間接続ＮＷ機器と端末機器間、端末機器同士、ドメイン間接続ＮＷ機器同士を接続する論理リンクの集合をＮＷサービスと定義して、その属性を管理することを特徴とする。
【０００８】
また、本発明は、特定ドメイン内ネットワーク及び該特定ドメイン内ネットワークが接続される広域ネットワークから構成されるネットワークシステムにおいて、上記ネットワーク管理装置を特定ドメイン内ネットワーク上に設置し、該ネットワーク管理装置により、ネットワーク管理装置と広域ネットワーク間は共通属性と共通インタフェースを使用して管理し、ネットワーク管理装置とドメイン内のネットワークの機器間はそれぞれ独自属性と独自インタフェースを使用して管理することを特徴とする。
【０００９】
また、本発明は、特定のドメイン内のネットワークを専用の端末機器（ドメインネットワークマネージャ）で管理するネットワーク管理方法であって、
ドメインネットワークマネージャは、
ドメイン内のネットワークを構成するかのネッワークエレメント（ＮＥ）の、当該ＮＥのネットワーク方式や種別によって異なる形式で記述される属性（独自属性）を管理し、
各ＮＥの独自属性を、当該ＮＥのネットワーク方式や種別に依らない共通の属性（共通属性）に変換して管理し、
ドメイン内のネットワーク（ＮＷ）のトポロジ情報を共通の形式で管理し、
各ＮＥの共通属性及びＮＷのトポロジ情報に基づき、ドメイン内のネットワークコネクション（ＮＷサービス）の共通属性を導出して管理し、
ドメイン外の広域のネットワークの利用者端末からの、特定ドメイン内のＮＷサービス検索、ＮＷサービス確保要求を、ネットワーク方式に依らない共通インタフェースで実現し、
ＮＷサービスに対する共通インタフェースによる制御コマンドを独自コマンドに変換し、独自インタフェースにより、ＮＷサービスを構成する各ＮＥに対して制御を実行することを特徴とする。
【００１０】
また、本発明は、上記ネットワーク管理方法において、ドメインネットワークマネージャは、ドメイン内の機器（ゲートウェイ機器、ＮＷ機器、端末機器）、機器同士を接続する物理リンク、各物理リンクに含まれる論理リンク、物理リンクの両端を表す端点（物理端点）、論理リンクの両端を表す出力側の端点（出力側論理端点）および入力側の端点（入力側論理端点）をＮＥと定義してその共通属性を管理し、また、ドメイン間接続ＮＷ機器と端末機器間、端末機器同士、ドメイン間接続ＮＷ機器同士を接続する論理リンクの集合をＮＷサービスと定義してその属性を管理することを特徴とする。
【００１１】
また、本発明は、上記ネットワーク管理方法において、ドメインネットワークマネージャは、共通インタフェースにより、利用者端末から、ＮＷサービス属性内の全てまたはその一部の属性値が満たすべき条件を引数として入力し、該条件に該当するＮＷサービス属性の属性値の全てまたはその一部を戻り値として回答することを特徴とする。
【００１２】
また、本発明は、上記ネットワーク管理方法において、ドメインネットワークマネージャは、共通インタフェースにより、利用者端末から、ＮＷサービス共通属性における、ＮＷサービスＩＤ、対象フロー識別パラメータ属性、付与パラメータ属性、要求帯域値、要求優先度の全てまたはその一部を引数として入力させることで、該対象フローに対して要求された帯域値、優先度にて、該ＮＷサービスの共通属性の値に基づく転送を行うためのＮＷサービス確保を行い、また、ＮＷサービス構成属性に基づき、該ＮＷサービスを構成するＮＥを特定し、サービス確保インタフェースを、それを構成する各ＮＥ独自のインタフェースに変換して、各ＮＥに対し、該対象フローに対して要求された帯域値、優先度、パラメータ付与にて、該ＮＷサービスの共通属性の値に基づく転送を実現するよう要求を行うことを特徴とする。
【００１３】
また、本発明は、ネットワーク管理方法において、ドメインネットワークマネージャは、サービス確保ＩＦによりＮＷサービスを確保する際に、それに基づき該ＮＷサービスを構成する論理リンクの共通属性値を更新し、さらに、該論理リンクを構成要素に含む他のＮＷサービスの共通属性を更新することを特徴とする。
【００１４】
また、本発明は、上記ネットワーク管理方法において、ドメインネットワークマネージャは、ネットワーク上に接続されている、もしくは新たに接続された機器を検知してその種別を判別し、その種別の機器に対応する、独自属性管理機能、ＮＥ共通属性管理機能、トポロジ情報管理機能、インタフェース変換機能の全てまたはその一部を利用し、ＮＥ独自属性の収集、ＮＥ共通属性の導出、トポロジ情報の導出、および機器の制御を行うことを特徴とする。
【００１５】
また、本発明は、上記ネットワーク管理方法において、ドメインネットワークマネージャは、ネットワーク上に接続されている、もしくは新たに接続された機器を検知してその種別を判別し、その種別の機器に対応する、独自属性管理機能、ＮＥ共通属性管理機能、トポロジ情報管理機能、インタフェース変換機能の全てが該マネージャ上に具備されている場合はそれらを利用し、全てまたはその一部が実装されていない場合は、具備されていない機能を、外部の機能蓄積部より取得し、該マネージャで利用可能とすることを特徴とする。
【発明の効果】
【００１６】
本発明によれば、従来、多様なプロトコルやベンダ機器により構成され、また構成が随時変更されるようなネットワーク環境（ホームやマンション等）において、利用者（エンドユーザ、サービスプロバイダ）が、ＮＷリソース情報の取得、リソース獲得を、ネットワーク方式や構成を意識せずに、共通のインタフェースにて行うことが可能となる。
【発明を実施するための最良の形態】
【００１７】
図１は本発明を適用したネットワークシステムの一実施の形態を示している。図１において、１０は家庭内ネットワーク、２０はマンションやオフィス内ネットワーク、３０はインターネットなどの広域ネットワーク、４０はサービスプロバイダ装置、５０はエンドユーザ装置である。以下、サービスプロバイダ装置４０とエンドユーザ装置５０を利用者端末と総称することにする。家庭内ネットワーク１０はゲートウエイ１１、Ｌ２−ＳＷ１２、１３、端末１５、１６などで構成されるが、該特定のドメイン内ネットワーク１０を管理するネットワーク管理装置（ＤＮＭ：ドメインネットワークマネージャ）１６を設ける。マンション・オフィス内ネットワーク２０はゲートウエイ２１、Ｌ３−ＳＷ２２、Ｌ２−ＳＷ２３、２４、端末２５、２６などで構成されるが、同様に、該特定のドメイン内のネットワーク２０を管理するネットワーク管理装置（ＤＮＭ）２７を設ける。ネットワーク管理装置（ＤＮＭ）１６、２７は、当該ドメイン内ネットワーク１０、２０の各機器とは機器固有の属性（独自属性）および独自インタフェースを使用してやり取りし、利用者端末４０、５０とはネットワーク３０を介し、共通の属性および共通のインタフェースを使用してやり取りする。これにより、利用者端末４０、５０からの、特定ドメイン１０、２０内のネットワークリソース情報の取得、リソースの獲得などが、該特定ドメイン１０、２０のネットワーク方式や構成を意識せずに可能となる。
【実施例】
【００１８】
図２は、本発明の一実施例を説明するためのネットワークシステムの構成例及びネットワーク管理装置の構成例を示す図である。図２において、１００がドメイン内ネットワーク、２００がネットワーク管理装置（ＤＮＭ）、３００が利用者端末（サービスプロバイダ装置、エンドユーザ装置）である。図２では、ドメイン内ネットワーク１００のネットワーク方式としては、機器１１０、１２０、１３０はネットワーク機器（各々、ゲートウェイ（Ｌ３−ＳＷ）、Ｅｔｈｅｒｎｅｔ  Ｌ２−ＳＷまたはＥｔｈｅｒ−無線ＬＡＮブリッジ、およびＥｔｈｅｒ−Ｂｌｕｅｔｏｏｔｈブリッジ）、機器１４０、１５０は通信端末を想定する。機器１１０、１２０、１３０は、管理情報ベースＭＩＢ（標準ＭＩＢ、拡張ＭＩＢ）を実装しており、機器の種別、ＱｏＳ情報、構成情報等を取得可能だが、ＱｏＳ情報を管理する方式は各々で異なるものとする。また、ＤＮＭ２００からのネットワーク経由でのＱｏＳ設定等を実現可能だが、その設定方式も各々で異なるものとする。
【００１９】
ネットワーク管理装置（ＤＮＭ）２００は接続検知部２１０、ＮＥ独自属性管理部２２０、ＮＥ共通属性管理部２３０、トポロジ情報管理部２４０、ＮＷサービス共通属性管理部２５０、共通インタフェース提供部２６０、インタフェース変換部２７０からなるが、ＮＥ独自属性管理部２２０とＮＥ共通属性管理部２３０とインタフェース変換部２７０は方式等の異なる機器１１０、１２０、１３０毎に具備する。接続検知部２１０はドメイン内ネットワーク１００上の機器の接続を検知し、その種別を判別する。ＮＥ独自属性管理部２２０は、ドメイン内のネットワーク１００を構成する各ネットワークエレメント（ＮＥ）１１０、１２０、１３０より提供される、ＮＥネットワーク方式や種別によって異なる形式で記述された識別子、機能や性能、他ＮＥとの接続情報等を示す属性（独自属性）を収集・管理する。ＮＥ共通属性管理部２３０は、ＮＥ独自属性管理部２２０で収集・管理される各ＮＥの独自属性を、該ＮＥのネットワーク方式や種別に依らない共通の属性（共通属性）に変換して管理する。トポロジ情報管理部２４０は、各ＮＥの独自属性内の他ＮＥとの接続情報に基づき、ネットワークのトポロジ情報を共通の形式で管理する。ＮＥサービス共通属性管理部２５０は、ＮＥ共通属性管理部２３０の各ＮＥの共通属性およびトポロジ情報管理部２４０のネットワークのトポロジ情報に基づき、ドメイン内のネットワークコネクション（ネットワークサービス：ＮＷサービス）の共通属性を導出して管理する。共通インタフェース提供部２６０は、利用者端末３００との間の、ドメイン内のＮＷサービスの検索、共通属性の取得および制御を、ＮＥのネットワーク方式に依らない共通のインタフェースで実現する。インタフェース変換部２７０は、ＮＷサービスに対する共通インタフェースによる制御コマンドを独立コマンドに変換して、ＮＥサービスを構成する各ＮＥに対して制御を実行する。これらの各機能は、専用の端末機器としてのＤＮＭ２００にソフトウェアとして実装されているものとする。
【００２０】
本実施例では、利用者端末３００とＤＮＭ２００間での共通インタフェースのやり取りの手段としてＸＭＬ／ＳＯＡＰを用いる場合を想定するが、共通インタフェースメッセージを伝達できるプラットフォームであればこれに限らない。また、利用者端末３００と通信端末１４０、１５０間は独自インタフェースにて通信が実現され、通信端末１４０、１５０からのネットワークサービス利用要求などは利用者端末３００を介して行われるものとする。ここでの独自インタフェースには、例えば、ＳＩＰプロトコルやＨＴＴＰプロトコル等が用いられ、ＳＩＰプロトコルが用いられる場合は、通信端末からのＳＩＰプロトコルによる接続要求を利用者端末３００が受け付けた際に、送信元先の端末情報、必要帯域情報等を取得し、後述の共通インタフェースによって経路上のネットワークドメインを管理する各ＤＮＭに対し、リソース検索、リソース情報取得、リリース確保等の一連の動作が行われる。
【００２１】
ここで、本発明の特徴の一つは、ＮＥ共通属性管理部２３０において、メイン内の機器（ゲートウェイ機器、ＮＷ機器、端末機器など）、機器同士を接続する物理リンク、各物理リンクに含まれる論理リンク、物理リンクの両端を表す端点（物理端点）、論理リンクの両端を表す出力側の端点（出力側論理端点）および入力側の端点（入力側論理端点）をネットワークエレメント（ＮＥ）と定義して、その共通属性を管理することである。また、ＮＷサービス共通属性管理部において、ドメイン間接続ＮＷ機器と端末機器間、端末機器同士、ドメイン間接続ＮＷ機器同士を接続する論理リンクの集合をＮＷサービスと定義してその属性を管理することである。
【００２２】
図３に、図２のドメイン内ネットワーク１００を抽象化した共通ＮＷモデルを示す。各ＮＥおよびＮＷサービスの定義は図３に示す通りである。
【００２３】
ＮＥ共通属性管理部２３０では、ＮＥの種別に依らずに定義されるＮＥの共通属性については、ネットワークドメイン（ＮＷドメイン）を一意に識別するための属性（ＮＷ  ＩＤ属性）、ＮＥの種別を示す属性（ＮＥ種別属性）、ＮＥをＮＷドメイン内で一意に識別するための属性（ＮＥ  ＩＤ属性）の全てまたはその一部により構成して各属性値を記述し、ＮＥ（機器）に固有の共通属性については、ＮＥの論理アドレスを示す属性（論理アドレス属性）により構成してその属性値を記述する。ＮＥ（物理端点）に固有の共通属性については、ＮＥの論理アドレスを示す属性（論理アドレス属性）、入力方向と出力方向のリンク速度を示す属性（リンク速度属性）の全てまたはその一部により構成して各属性値を記述する。ＮＥ（出力側論理端点）に固有の共通属性については、対象フローに対して出力時に与える転送に関する作用についての属性（転送作用属性（出力側端点））、対象フローに対して出力時に与えられるパラメータ付与に関する作用についての属性（パラメータ付与作用属性（出力側端点））の全てまたはその一部により構成して各属性値を記述する。ＮＥ（入力側論理端点）に固有の共通属性については、対象フローに対して入力時に与える転送に関する作用についての属性（転送作用属性（入力側端点））により構成して各属性値を記述する。ＮＥ（物理リンク）に固有の共通属性については、方向毎のリンク速度を示す属性（リンク速度属性）により構成してその属性値を記述する。ＮＥ（論理リンク）に固有の共通属性については、対象フローに対して与える転送に関する作用についての属性（転送作用属性（リンク））、対象フローに対して出力時に与えられるパラメータ付与に関する作用についての属性（パラメータ付与作用属性（リンク））の全てまたはその一部により構成して属性値を記述する。
【００２４】
さらに、転送作用属性（出力側端点）については、利用可能な帯域制御方式を示す属性（帯域制御方式属性）（複数記述可能）、利用可能な帯域の最大値を示す属性（最大帯域属性）、最低限保証可能な帯域値を示す属性（保証可能帯域属性）、各帯域制御方式を利用するフローを識別するためのパラメータ種別とその値を示す属性（帯域制御利用フロー識別パラメータ属性）（複数記述可能）、フロー単位での帯域制御の可・不可を示す属性（帯域制御単位属性）、利用可能な優先度を示す属性（優先度属性）（複数記述可能）、各優先度を利用するフローを識別するためのパラメータ種別とその値（優先度利用フロー識別パラメータ属性）（複数記述可）、許容可能なバースト長の最大値を示す属性（最大バースト長属性）、同時に利用可能な対象フローの最大値を示す属性（最大フロー数属性）、データ転送時の最大遅延時間を示す属性（遅延属性）、利用制約を行うための制約対象となるパラメータ種別とその値を示す属性（制約パラメータ属性）（複数記述可能）の全てまたはその一部により構成してその属性値を記述する。パラメータ付与作用属性（出力側端点）については、対象フローに対し出力時に付与されるパラメータ種別とその値およびそのパラメータを付与される対象フローが満たすべき条件を示す属性（パラメータ付与ルール属性）（複数記述可能）により構成してその値を記述する。転送作用属性（入力側端点）については、帯域制御方式属性（複数記述可能）、最大帯域属性、保証可能帯域属性、帯域制御利用フロー識別パラメータ属性、識別されたフローの転送先の出力論理端点ＩＤ（転送先論理端点ＩＤ）（複数記述可能）、帯域制御単位属性、優先度属性（複数記述可能）、優先度利用フロー識別パラメータ属性（複数記述可）、最大フロー数属性の全てまたはその一部により構成してその属性値を記述する。転送作用属性（リンク）については、帯域制御方式属性（複数記述可能）、最大帯域属性、保証可能帯域属性、帯域制御利用フロー識別パラメータ属性、転送先論理端点ＩＤ（複数記述可能）、帯域制御単位属性、優先度属性（複数記述可能）、優先度利用フロー識別パラメータ属性（複数記述可）、最大バースト長属性、最大フロー数属性、最大遅延属性、制約パラメータ属性（複数記述可能）の全てまたはその一部により構成してその属性値を記述する。パラメータ付与作用属性（リンク）については、パラメータ付与ルール属性（複数記述可能）により構成してその値を記述する。
【００２５】
また、ＮＥ（物理リンク）のリンク速度属性について、その属性値を、トポロジ情報管理部２４０に蓄積されるトポロジ情報に基づいて、その両端の物理端点の共通属性に基づき導出して記述し、ＮＥ（論理リンク）の転送作用属性（リンク）、パラメータ付与作用属性（リンク）について、その属性値を、トポロジ情報管理部２４０に蓄積されるトポロジ情報に基づいて、その両端の論理端点の共通属性に基づき導出して記述する。
【００２６】
ＮＷサービス共通属性管理部２５０では、ＮＷサービスの共通属性について、対象フローに対して与えられる転送に関する作用についての属性（転送作用属性（ＮＷサービス））、対象フローに対して出力時に与えられるパラメータ付与に関する作用についての属性（パラメータ付与作用属性（ＮＷサービス））、該サービスに対する課金に対する属性（課金属性）、トポロジ情報管理部２４０で管理されるトポロジ情報に基づく、該ＮＷサービスの構成を示す属性（ＮＷサービス構成属性）の全てまたはその一部により構成して属性値を記述する。
【００２７】
また、転送作用属性（ＮＷサービス）について、入力部ＮＥ（機器）ＩＤ、出力部ＮＥ（機器）ＩＤ、帯域制御方式属性（複数記述可能）、最大帯域属性、保証可能帯域属性、帯域制御利用フロー識別パラメータ属性、優先度属性（複数記述可能）、優先度利用フロー識別パラメータ属性（複数記述可）、最大バースト長属性、最大フロー数属性、最大遅延属性、制約パラメータ属性（複数記述可能）の全てまたはその一部により構成してその属性値を記述し、パラメータ付与作用属性（ＮＷサービス）について、パラメータ付与ルール属性（複数記述可能）により構成してその値を記述する。
【００２８】
さらに、ＮＷサービス共通属性管理部２５０では、トポロジ情報管理部２４０に蓄積されるトポロジ情報に基づき、ＮＥ（論理リンク）の組合せ毎にＮＷサービスを定義し、転送作用属性（ＮＷサービス）、パラメータ付与作用属性（ＮＷサービス）について、その属性値を、該ＮＷサービスを構成する論理リンクの属性に基づき導出し記述する。
【００２９】
図４に、ＮＥ（出力側論理端点）の共通属性構成例を示し、図５に、図２の機器１２０からＳＮＭＰ（Ｓｉｍｐｌｅ  Ｎｅｔｗｏｒｋ  Ｍａｎａｇｅｍｅｎｔ  Ｐｒｏｔｏｃｏｌ）により取得した独自属性に基づき、その共通属性を導出する際の導出ルール例を示す。ＤＮＭ２００は、接続検知部２１０にて機器１２０のＭＩＢ（Ｍａｎａｇｅｍｅｎｔ  Ｉｎｆｏｒｍａｔｉｏｎ  Ｂａｓｅ）情報より、機器種別を示すＯＩＤを取得し、それに応じてＮＥ独自属性管理部２２０、ＮＥ共通属性管理部２３０を選択する。ＮＥ独自属性管理部２２０は独自属性を収集・管理し、ＮＥ共通属性管理部２３０にて、図５で定義されたルールに従い、図４に示す共通属性を導出し、蓄積、管理する。例えば、機器のｍｉｂ−２．ｓｙｓｔｅｍ．ｓｙｓＯｂｊｅｃｔＩＤに基づき機器ベンダ／種別を判別し、品質・性能などの情報がｐｒｉｖａｔｅ  ＭＩＢに記述されている機器については、ＳＮＭＰを用いてその値を取得して共通属性導出ルールに基づいて値を記述し、それらの情報がｔｅｌｎｅｔコンソールによってのみ取得可能な機器については、ｔｅｌｎｅｔを用いてその値を取得して共通属性導出ルールに基づいて値を記述し、それらの情報が取得不可能な機器については、あらかじめその品質・性能などの情報を保持しておき記述する等を行う。
【００３０】
次に、図６に、ＮＥ（論理リンク）の共通属性構成例を示し、図７に、図５にて導出されたＮＥ（論理端点）共通属性等に基づき、ＮＥ（論理リンク）共通属性を導出する際のルールの一部を示す。例えば、ＮＥ（論理リンク）の帯域制御方式属性、優先制御属性は、その両端の論理端点の共通属性値に基づき導出される。
【００３１】
図８に、ＮＷサービス共通属性の構成例を示し、図９に、ＮＥ共通属性管理部２３０に蓄積される論理リンク共通属性（図６）に基づき、ＮＷサービス共通属性管理部２５０にてＥＮＷサービス共通属性を導出する際のルールの一部を示す。例えば、ＮＷサービスの帯域制御方式属性、優先制御属性は、まず、それを構成する上流側の２つの論理リンクの共通属性値に基づき導出され、次に、その２つの論理リンクを１つの論理リンクと見なして、これとその下流の論理リンクの共通属性値に基づき、同様に導出される。この処理を繰り返すことにより、最終的にＮＷサービスの共通属性が導出される。
【００３２】
図１０は、利用者端末３００から通信端末１４０に向けたデータ転送を行う場合の、ネットワークサービス（ＮＷサービス）の検索シーケンスの例である。共通インタフェースによって、送信元アドレス、送信先アドレス、帯域制御方式、要求帯域、要求優先度の値を引数として利用者端末３００からＤＮＭ２００に対してＮＷサービス検索要求を行うと、ＤＮＭ２００では、このＮＷサービス検索要求を共通インタフェース提供部２６０が受け付けて、ＮＷサービス共通属性管理部２５０に転送する。ＮＷサービス共通属性管理部２５０では、入力された引数に合致するＮＷサービスをＮＷサービス共通属性に基き検索する（Ｓ１０００）。そして、得られた各ＮＷサービス候補が、共通インタフェース提供部２６０を介し共通インタフェースによって利用者端末に通知される。
【００３３】
図１１は、図１０のネットワーク検索シーケンスに続いて行われるＮＷサービスの獲得に関するシーケンスの例である。共通インタフェースによって、送信元アドレス、送信先アドレス、要求帯域、サービスＩＤの値を引数として利用者端末３００からＤＮＭ２００に対してＮＷサービス確保要求を行うと、ＤＮＭ２００では、共通インタフェース提供部２６０にて、この要求を受け付ける。共通インタフェース提供部２６０は、同ＮＷサービスを構成するＮＥ（機器、物理ボート）の情報を、ＮＷサービス共通属性管理部２４０やトポロジ情報管理部２４０より取得し（Ｓ１１０１）、あらかじめ取得された機器種別情報（ＭＩＢ−２の機器種別を示すＯＩＤ）に基づき、該当するインタフェース変換部２７０を選択して、このＮＷサービス確保要求を転送する。インタフェース変換部２７０は、当該機器１１０、１２０等に独自のコマンドに変換し（Ｓ１１０２）、独自インタフェースにて、実際の機器制御を行う。ＮＷサービス確保が完了すると、ＮＥ共通属性管理部２３０およびＮＷサービス共通属性管理部２５０では、共通インタフェース提供部２６０から必要な情報を受け取り、同ＮＷサービスを構成する論理リンクの共通属性内の保証可能帯域値を確保した分だけ減算する等の更新を行い、さらに、これら論理リンクを構成要素に含む他のＮＷサービスの共通属性を更新する（Ｓ１１０３）。
【００３４】
図１２は、利用者端末３００から通信端末１５０に向けたデータ転送を行う場合の、ＮＷサービスの確保に関するシーケンスの例である。このシーケンス動作は、基本的に図１１と同様であるので説明は省略する。
【００３５】
図１３は、ドメイン内で新たなネットワーク機器が接続された際に、必要に応じＤＮＭの機能拡張を実現する際のシーケンスの例である。図１３では、ＤＮＭ２００は、図２の構成に加えてソフトウェア管理部２８０およびレジストリ部２９０を備えている。また、外部サーバ４００は各ネットワーク機器の機能蓄積部４１０を備えているとする。ＤＮＭ２００では、ネットワーク上に接続されている、もしくは新たに接続された機器を接続検知部２１０により検知して、その機器種別を判別し、その機器種別情報をソフトウェア管理部２８０に通知する。ソフトウェア管理部２８０では、その種別の機器に対応する、ＮＥ独自属性管理部、ＮＥ共通属性管理部、トポロジ情報管理部、インタフェース変換部の全てが該ＤＮＭ２００に具備されているか否かを、レジストリ部２９０に問い合わせて取得する。そして、ソフトウェア管理部２８０は、全てが該ＤＮＭ２００上に具備されている場合はそれらを利用し、全てまたはその一部が実装されていない場合は、具備されていない機能部を、外部のサーバ４００機能蓄積部４１０より取得し、該ＤＮＭ２００上で利用可能とする。また、新たに取得した機能部は、レジストリ部２９０に対し、その機器種別情報とともに登録される。
【図面の簡単な説明】
【００３６】
【図１】本発明のネットワークシステムの適用例を示す図である。
【図２】本発明のネットワークシステム及びネットワーク管理装置の一実施例を示す図である。
【図３】共通ネットワークモデル例を示す図である。
【図４】ネットワークエレメント（出力側論理端点）の共通属性構成例を示す図である。
【図５】独自属性からの共通属性導出ルール例を示す図である。
【図６】ネットワークエレメント（論理リンク）の共通属性構成例を示す図である。
【図７】論理リンク共通属性の導出ルール例を示す図である。
【図８】ネットワークサービス共通属性の構成例を示す図である。
【図９】ネットワークサービス共通属性の導出ルール例を示す図である。
【図１０】ネットワークサービス検索シーケンス例を示す図である。
【図１１】ネットワークサービス確保シーケンス例（例１）を示す図である。
【図１２】ネットワークサービス確保シーケンス例（例２）を示す図である。
【図１３】ネットワーク管理装置の機能拡張シーケンス例を示す図である。
【符号の説明】
【００３７】
１００  ドメイン内ネットワーク
１１０、１２０、１３０  ネットワーク機器
１４０、１５０  通信端末
２００  ネットワーク管理装置（ドメインネットワークマネージャ）
２１０  接続検知部
２２０  ＮＥ独自属性管理部
２３０  ＮＥ共通属性管理部
２４０  トポロジ情報管理部
２５０  ＮＷサービス共通属性管理部
２６０  共通インタフェース提供部
２７０  インタフェース変換部
２８０  ソフトウェア管理部
２９０  レジストリ部
３００  利用者端末
【図１】
2005110056.tif 000003
【図２】
2005110056.tif 000004
【図３】
2005110056.tif 000005
【図４】
2005110056.tif 000006
【図５】
2005110056.tif 000007
【図６】
2005110056.tif 000008
【図７】
2005110056.tif 000009
【図８】
2005110056.tif 000010
【図９】
2005110056.tif 000011
【図１０】
2005110056.tif 000012
【図１１】
2005110056.tif 000013
【図１２】
2005110056.tif 000014
【図１３】
2005110056.tif 000015